(57)【要約】【課題】  安定作動し小型化でき、多段化が容易な非接触型負荷感応自動変速機とする。【解決手段】  第１永久磁石１１を挟み、間隙１６を形成して第１ヨーク１２と第２ヨーク１３を固定し、間隙を介して第３ヨーク２０を配置する。ヨーク間の間隙１６には円筒状磁石固定部材４９の内周面の第２永久磁石２５を挿脱自在に配置し、これを間隙１６に挿入すると第１永久磁石１１の磁気回路が第２永久磁石２５側を通って第３ヨーク２０が自由状態になり、第２永久磁石２５が間隙１６から脱すると第１永久磁石の磁気回路が第３ヨーク２０を通り、両者は磁気結合する。この磁気クラッチ１０を図中３列並設し、各列の第３ヨークを、中心部に設けた遊星歯車の内歯歯車外周に固定する。前記磁気クラッチで任意の列の内歯歯車を固定し、作動する遊星歯車の減速度で出力軸７５を駆動する。負荷に応じて図中のスプリング４４が伸縮し、作用する磁気クラッチを選択する。【選択図】図１５
2005351336.tif 000002
【特許請求の範囲】
【請求項１】
第１ヨークと第２ヨーク間に各ヨーク側にＮ極とＳ極を配置した第１永久磁石を固定している磁石固定ヨーク部材と、前記第１ヨークと第２ヨークの端部に間隙を有して配置した第３ヨークと、前記第１ヨークと第２ヨークの他端部側の両者の間隙に前記第１永久磁石と極性を逆方向にして挿脱自在に配置した第２永久磁石とからなる磁気クラッチを複数列隣接して配置し、
隣接した前記磁石固定ヨーク部材を連結部材で連結し一体化して磁石固定ヨーク部材列を形成し、
各列の前記第２永久磁石を、円筒状磁石固定部材の内周面において円周方向に、互いに位置を異ならせて複数列固定し、
前記磁石固定ヨーク部材列と円筒状磁石固定部材間にスプリングを設け、
前記磁石固定ヨーク部材列と円筒状磁石固定部材の相対回転により、複数列の任意の磁気クラッチにおける第２永久磁石を第１ヨークと第２ヨーク間から脱して、該磁気クラッチの第３ヨークと磁石固定ヨーク部材を磁気結合すると共に、他の列の磁気クラッチにおける第２永久磁石を第１ヨークと第２ヨーク間に挿入して前記磁気結合を解除可能に構成し、
前記各列の第３ヨーク部材を固定した入力円板を外部の駆動装置により異なった速度で駆動する複数の入力軸と、前記円筒状磁石固定部材と連結した出力軸とを備え、
前記磁気結合した磁気クラッチの入力円板に連結している入力軸の力を、前記磁石固定ヨーク部材列、前記円筒状磁石固定部材を介して前記出力軸に伝達し、
前記出力軸で駆動する負荷に応じ前記スプリングを伸縮して、前記磁石固定ヨーク部材列と前記円筒状磁石固定部材とを相対回転させ、他の磁気クラッチを磁気結合し、該他の磁気クラッチの入力円板に連結している入力軸により出力軸を異なった速度で駆動することを特徴とする非接触型負荷感応自動変速機。
【請求項２】
第１ヨークと第２ヨーク間に各ヨーク側にＮ極とＳ極を配置した第１永久磁石を固定している磁石固定ヨーク部材と、前記第１ヨークと第２ヨークの端部に間隙を有して配置した第３ヨークと、前記第１ヨークと第２ヨークの他端部側の両者の間隙に前記第１永久磁石と極性を逆方向にして挿脱自在に配置した第２永久磁石とからなる磁気クラッチを複数列隣接して配置し、
隣接した前記磁石固定ヨーク部材を連結部材で連結し一体化して磁石固定ヨーク部材列を形成し、
各列の前記第２永久磁石を、円筒状磁石固定部材の内周面において円周方向に、互いに位置を異ならせて固定し、
前記磁石固定ヨーク部材列と円筒状磁石固定部材間にスプリングを設け、
前記磁石固定ヨーク部材列と円筒状磁石固定部材の相対回転により、複数列の任意の磁気クラッチにおける第２永久磁石を第１ヨークと第２ヨーク間から脱して、該磁気クラッチの第３ヨークと磁石固定ヨーク部材を磁気結合すると共に、他の列の磁気クラッチにおける第２永久磁石を第１ヨークと第２ヨーク間に挿入して前記磁気結合を解除可能に構成し、
前記複数列設けた磁気クラッチに対応して減速度が異なる遊星歯車機構を複数並設し、各遊星歯車機構の内歯歯車の外周に磁気クラッチの第３ヨークを固定するとともに、各遊星歯車機構の太陽ギヤを同一軸で駆動し、
隣接する遊星歯車の支持軸を連結し、且つ遊星歯車のキャリヤにより出力軸を駆動するように構成し、
前記磁気結合した任意の磁気クラッチにより、対応する遊星歯車機構の内歯歯車を磁気的に固定するとともに、該内歯歯車の入力軸を中心とする回転により出力軸を駆動し、
前記出力軸で駆動する負荷に応じ前記スプリングを伸縮して、固定された前記磁石固定ヨーク部材に対して前記円筒状磁石固定部材を相対回転させ、他の磁気クラッチを磁気結合し、該他の磁気クラッチに対応する遊星歯車機構の内歯歯車を磁気的に固定して、同一の入力軸により出力軸を異なった速度で駆動することを特徴とする非接触型負荷感応自動変速機。
【請求項３】
前記各列の第３ヨーク部材は、入力円板の外周に複数個設け、
前記複数の第３ヨークに対応して磁気クラッチを複数設けたことを特徴とする請求項１又は請求項２記載の非接触型負荷感応自動変速機。
【発明の詳細な説明】
【技術分野】
【０００１】
本発明は、負荷に感応して自動的に変速を行う負荷感応型自動変速機に関し、特に、負荷の感応及び変速を磁石を用いて非接触で行うことができるようにした非接触型負荷感応型自動変速機に関する。  
【背景技術】
【０００２】
機械システムの多くにおいては状況に応じて負荷の性質が変動するため、高速低トルク負荷及び低速高トルク負荷の双方を駆動する必要がある。これに対して一般にはアクチュエータと負荷の間に変速機を挿入し、負荷状態に応じて最適な減速比を選択して、負荷状態は変動してもモータ等のアクチュエータを常に高効率の条件で使用できるように駆動系を構成している。このことにより、変速機を用いない場合よりも必要最小限の出力パワーを備える低出力で小型軽量のアクチュエータを用いて、変動する負荷を高効率で安全に駆動することが可能となる。
【０００３】
しかしながら、自動車や産業機械のために開発された従来の変速機は、変速動作を行うために補助的なアクチュエータ、センサ、電子回路、電源等の外部付属機器を必要とする。このため変速機が大型化するとともに複雑な構成になり、現在の技術ではロボティクス・メカトロニクス機器のような中小規模の機械システムに変速機を簡単に実現することはできない。これを実現するための一つの方法は負荷に感応して減速比を変更する機能を変速機自体に付与し、外部機器を必要とせずに単体で変速動作が可能な負荷感応自動変速機を構成することである。
【０００４】
このような課題を解決するため、本発明者等は先に、永久磁石を利用した切換機構と機械的なクラッチを用いて、変速機自体が負荷トルクに感応して自動的に減速比を切換える機能を実現する負荷感応自動変速機を提案している（特許文献１）。この技術により次の特徴を有する負荷感応自動変速機を構成することができた。
１．外部付属機器が不要で小型軽量であって、構成簡素化が可能。
２．変速機内部の機械損失が少ない（効率９０％以上）。
３．遠心クラッチを用いた変速機と異なり、低速のアクチュエータ（人力など）にも適用が可能。
４．特殊な部品・加工が不要。
５．正転／逆転の両方向に対して同様に動作が可能。
６．必要ならば、正転／逆転時の切換負荷トルクをそれぞれ異なる値に設定が可能。
７．入力軸を同軸上に配置することが可能。
【０００５】
本発明者等によって提案された上記のような技術においては、機械的なクラッチを使用している。そのため、下記のような課題を生じることとなる。
１．クラッチ板等が必要となり、その分だけ構造が複雑化し、大型化する。
２．クラッチ部分で摩耗を生じる。
３．クラッチ隙間に関する保守管理が必要となる。
４．クラッチの接離時に変速ショックや騒音を発生しやすい。
５．過負荷時にもクラッチが滑りにくいため、機構やアクチュエータに過大負荷がかかることもある。  
【０００６】
このような問題点を解決するため、本発明者によって特願２００３−１４４８２６号として特許出願を行っている。その発明は図１６に示すようなものであり、減速機８１の高速側に連結する内側円板９５に固定した内側ヨーク９４と、低速側に連結する外側リング９３に固定した外側ヨーク９２とは互いに軸線方向にずらして対向配置し、その間に中間円板９６に固定した中間ヨーク９８付きの永久磁石９７を配置する。中間円板９６に固定した磁石Ｍ１に対向して出力軸に連結した出力円板１００に磁石ＭＯＡとＭＯＡ’を配置する。磁石Ｍ１は磁石ＭＯＡとＭＯＡ’の間に位置するように配置し、その時に対向する極を同極とすることにより反発する力を生じ、中間円板９６を押圧して中間ヨーク９８を高速段の内側ヨーク９４に対向させ、一体的に回転する。負荷が増大すると、磁石Ｍ１は磁石ＭＯＡに対向する位置まで回転し、磁石Ｍ１は磁石ＭＯＡに吸引され、内側ヨークは低速段の外側ヨーク９２に対向して一体的に回転する。また、このとき隣接する磁石ＭＯＢは戻し力を発生するようにしている。
【特許文献１】特開２００２−３１１６５号公報
【特許文献２】特願２００３−１４４８２６号
【発明の開示】
【発明が解決しようとする課題】
【０００７】
上記のような非接触型負荷感応自動変速機は、変速機構による変速動力伝達、及び回転−スラスト変換機構による変速動作の双方を、磁気を用いた非接触機構により実現することができる。その結果、変速機内部での機械的な接触は軸受部分のみに限定されるため、クラッチ摩擦材は不要となり、その摩耗問題を解消することができ、クラッチ隙間の保守管理が不要となって、磁気的結合のバネ効果による変速ショック・騒音の低減が可能となるとともに、過負荷時は磁気クラッチが滑り、アクチュエータ・機構を保護することができる非接触型負荷感応自動変速機とすることができる。更に、円周上に磁石とヨークを配置して対向する磁気クラッチを用いているので、ヒステリシス磁気カップリングを用いたものと比較し、一般的なヨーク材質を使用可能となり、磁石のサイズ・配置数を増すことにより、容易に伝達トルクを増大することが可能となるという効果を奏することができる。
【０００８】
本発明者は更に上記のような非接触型負荷感応自動変速機について、より安定した作動を行い、小型化することができ、より多段の自動変速機を簡単に構成することができるようにするべく改良を重ね、本発明に至ったものである。
【０００９】
したがって、本発明は機械的なクラッチを用いることなく磁気クラッチを用い、更にこの磁気クラッチを負荷に応じて磁気的にその磁気クラッチの切換作動を行うことができるようにした非接触型負荷感応自動変速機であって、安定した作動を行い、小型化することができ、より多段の自動変速機を簡単に構成することができるようにした非接触型負荷感応自動変速機を提供することを主たる目的とする。
【課題を解決するための手段】
【００１０】
本発明による非接触型負荷感応自動変速機は、上記課題を解決するため、第１ヨークと第２ヨーク間に各ヨーク側にＮ極とＳ極を配置した第１永久磁石を固定している磁石固定ヨーク部材と、前記第１ヨークと第２ヨークの端部に間隙を有して配置した第３ヨークと、前記第１ヨークと第２ヨークの他端部側の両者の間隙に前記第１永久磁石と極性を逆方向にして挿脱自在に配置した第２永久磁石とからなる磁気クラッチを複数列隣接して配置し、隣接した前記磁石固定ヨーク部材を連結部材で連結し一体化して磁石固定ヨーク部材列を形成し、各列の前記第２永久磁石を、円筒状磁石固定部材の内周面において円周方向に、互いに位置を異ならせて複数列固定し、前記磁石固定ヨーク部材列と円筒状磁石固定部材間にスプリングを設け、前記磁石固定ヨーク部材列と円筒状磁石固定部材の相対回転により、複数列の任意の磁気クラッチにおける第２永久磁石を第１ヨークと第２ヨーク間から脱して、該磁気クラッチの第３ヨークと磁石固定ヨーク部材を磁気結合すると共に、他の列の磁気クラッチにおける第２永久磁石を第１ヨークと第２ヨーク間に挿入して前記磁気結合を解除可能に構成し、前記各列の第３ヨーク部材を固定した入力円板を外部の駆動装置により異なった速度で駆動する複数の入力軸と、前記円筒状磁石固定部材と連結した出力軸とを備え、前記磁気結合した磁気クラッチの入力円板に連結している入力軸の力を、前記磁石固定ヨーク部材列、前記円筒状磁石固定部材を介して前記出力軸に伝達し、前記出力軸で駆動する負荷に応じ前記スプリングを伸縮して、前記磁石固定ヨーク部材列と前記円筒状磁石固定部材とを相対回転させ、他の磁気クラッチを磁気結合し、該他の磁気クラッチの入力円板に連結している入力軸により出力軸を異なった速度で駆動することを特徴とする。
【００１１】
また、本発明による他の非接触型負荷感応自動変速機は、第１ヨークと第２ヨーク間に各ヨーク側にＮ極とＳ極を配置した第１永久磁石を固定している磁石固定ヨーク部材と、前記第１ヨークと第２ヨークの端部に間隙を有して配置した第３ヨークと、前記第１ヨークと第２ヨークの他端部側の両者の間隙に前記第１永久磁石と極性を逆方向にして挿脱自在に配置した第２永久磁石とからなる磁気クラッチを複数列隣接して配置し、隣接した前記磁石固定ヨーク部材を連結部材で連結し一体化して磁石固定ヨーク部材列を形成し、各列の前記第２永久磁石を、円筒状磁石固定部材の内周面において円周方向に、互いに位置を異ならせて固定し、前記磁石固定ヨーク部材列と円筒状磁石固定部材間にスプリングを設け、前記磁石固定ヨーク部材列と円筒状磁石固定部材の相対回転により、複数列の任意の磁気クラッチにおける第２永久磁石を第１ヨークと第２ヨーク間から脱して、該磁気クラッチの第３ヨークと磁石固定ヨーク部材を磁気結合すると共に、他の列の磁気クラッチにおける第２永久磁石を第１ヨークと第２ヨーク間に挿入して前記磁気結合を解除可能に構成し、前記複数列設けた磁気クラッチに対応して減速度が異なる遊星歯車機構を複数並設し、各遊星歯車機構の内歯歯車の外周に磁気クラッチの第３ヨークを固定するとともに、各遊星歯車機構の太陽ギヤを同一軸で駆動し、隣接する遊星歯車の支持軸を連結し、且つ遊星歯車のキャリヤにより出力軸を駆動するように構成し、前記磁気結合した任意の磁気クラッチにより、対応する遊星歯車機構の内歯歯車を磁気的に固定するとともに、該内歯歯車の入力軸を中心とする回転により出力軸を駆動し、前記出力軸で駆動する負荷に応じ前記スプリングを伸縮して、固定された前記磁石固定ヨーク部材に対して前記円筒状磁石固定部材を相対回転させ、他の磁気クラッチを磁気結合し、該他の磁気クラッチに対応する遊星歯車機構の内歯歯車を磁気的に固定して、同一の入力軸により出力軸を異なった速度で駆動することを特徴とする。
【００１２】
また、本発明による更に他の非接触型負荷感応自動変速機は、前記各列の第３ヨーク部材は、入力円板の外周に複数個設け、前記複数の第３ヨークに対応して磁気クラッチを複数設けたことを特徴とする。
【発明の効果】
【００１３】
本発明は、機械的なクラッチを用いることなく磁気クラッチを用いることにより非接触で、且つ負荷に応じてクラッチの切換作動を行うことができ、補助電力や電子回路等の付属機器を必要としない小型軽量且つ、単純な構造の自動変速機とすることができる。また、非接触磁気クラッチを用いることによりメンテナンスフリーで、変速ショックが少なく、低騒音で、過負荷保護可能な伝達切換機構とすることができ、据え付け作業が容易となる。
更に、本発明による自動変速機は負荷感応変速機であることから、
１．補助動力・電子回路・電源等の付属機器が不要。
２．小型軽量かつシンプルな構成。
３．据付作業が容易。
という効果を奏する。
【００１４】
また、本発明による負荷感応変速機は非接触式であるため、
１．摩擦材の磨耗・隙間管理の問題を解消。
２．機械的な接触・摩擦による損失が減少するため高効率。
３．磁気的結合のバネ効果による変速ショック・騒音の低減。
４．過負荷時は磁気クラッチが滑り始め，動力源を保護。
という効果を奏する。
【００１５】
更に、本発明においては、
１．３段変速に拡張することにより負荷変動に対してよりきめ細かい変速動作が可能であり、動力源の動作条件を常に最適値近傍に保つことができる。その結果、駆動効率を一層向上することができる。
２．先の発明では変速動作に伴って中間円板と出力円板が相対的に回転運動および軸方向へのスライド運動をする必要があった。この場合、２種類の相対運動を許容しつつ中間円板と出力円板を結合する機構の設計製作が困難であり、また部品点数の増加を招いていた。それに対して本出願では回転運動のみにより変速動作が可能であるため、大幅な機構の簡略化と部品点数の削減を達成するとともに設計製作を容易にした。
３．ここでは３段変速機を例として説明したが、同様の機構を連ねることにより４段以上の多段変速機へも容易に拡張可能である。
４．逆に入力円板を２枚に減らした２段変速機を構成することもできる。この場合、先の発明と比較して２段変速機の機構を大幅に簡略化可能である。
【００１６】
更に本発明による実施例２の非接触型負荷感応自動変速機においては、その全体構成についてみると、前段減速機と接続軸と磁気クラッチの全てが一体化した構造をなしている。また大きさについてみると、前段減速機と磁気クラッチを軸方向に並べて接続する必要がなく全体が一体構造になることにより軸方向に短縮可能である。なお、径方向には大きくなるものの、これはトルク伝達機として、トルク＝半径×力、の作用によってむしろ有利な構造となる。
【００１７】
また、Ｎ段変速機としたときの多重同軸構造についてみると、入力軸をＮ重とする必要が無く、変速機全体の構造は簡単になり、段数を増やす場合は同様の機構を軸方向に増設するものの、基本構造は変わらず、製造が容易となる、というメリットがある。また、回転部分についてみると、入力軸と太陽歯車からなる第１層と、出力軸とキャリアからなる第２層と、１個のみ固定され他は空転する内場歯車という構成となり、回転部分が少なくなるため、慣性モーメントが減少する。また、特に多数の永久磁石とヨークからなるため大きな慣性モーメントを有する第４層には、負荷トルク増減に応じて最外層と相対回転するものの基本的には静止している、という多くの効果を奏する。
【発明を実施するための最良の形態】
【００１８】
本発明は、機械的なクラッチを用いることなく磁気クラッチを用い、更にこの磁気クラッチを負荷に応じて磁気的にその磁気クラッチの切換作動を行うことができるようにした非接触型負荷感応自動変速機であって、安定した作動を行い、小型化することができ、より多段の自動変速機を簡単に構成することができるようにした非接触型負荷感応自動変速機とするため、第１ヨークと第２ヨーク間に各ヨーク側にＮ極とＳ極を配置した第１永久磁石を固定している磁石固定ヨーク部材と、前記第１ヨークと第２ヨークの端部に間隙を有して配置した第３ヨークと、前記第１ヨークと第２ヨークの他端部側の両者の間隙に前記第１永久磁石と極性を逆方向にして挿脱自在に配置した第２永久磁石とからなる磁気クラッチを複数列隣接して配置し、隣接した前記磁石固定ヨーク部材を連結部材で連結し一体化して磁石固定ヨーク部材列を形成し、各列の前記第２永久磁石を、円筒状磁石固定部材の内周面において円周方向に、互いに位置を異ならせて複数列固定し、前記磁石固定ヨーク部材列と円筒状磁石固定部材間にスプリングを設け、前記磁石固定ヨーク部材列と円筒状磁石固定部材の相対回転により、複数列の任意の磁気クラッチにおける第２永久磁石を第１ヨークと第２ヨーク間から脱して、該磁気クラッチの第３ヨークと磁石固定ヨーク部材を磁気結合すると共に、他の列の磁気クラッチにおける第２永久磁石を第１ヨークと第２ヨーク間に挿入して前記磁気結合を解除可能に構成し、前記各列の第３ヨーク部材を固定した入力円板を外部の駆動装置により異なった速度で駆動する複数の入力軸と、前記円筒状磁石固定部材と連結した出力軸とを備え、前記磁気結合した磁気クラッチの入力円板に連結している入力軸の力を、前記磁石固定ヨーク部材列、前記円筒状磁石固定部材を介して前記出力軸に伝達し、前記出力軸で駆動する負荷に応じ前記スプリングを伸縮して、前記磁石固定ヨーク部材列と前記円筒状磁石固定部材とを相対回転させ、他の磁気クラッチを磁気結合し、該他の磁気クラッチの入力円板に連結している入力軸により出力軸を異なった速度で駆動するように構成する。
【実施例１】
【００１９】
本発明の実施例を図面に沿って説明する。図１には本発明において用いられる非接触磁気クラッチの原理を示しており、永久磁石とヨークを組み合わせて磁気回路を構成し、その経路を切り換えることによりトルク伝達を結合・分離するようにしている。
【００２０】
図１（ａ）に示すように、磁石固定ヨーク部材１０においては、Ｎ極とＳ極が図示するように並んでいる第１永久磁石１１を挟んで、磁性材からなる第１ヨーク１２と第２ヨーク１３とを一体的に固定している。互いに向かい合う第１ヨーク１２と第２ヨーク１３は、その対向面における下方に第１永久磁石１１を固定しており、上方は第１ヨーク部１４と第２ヨーク部１５が対向する対向間隙１６が形成されている。
【００２１】
第１ヨーク１２の下端１７とと第２ヨーク１３の下端１８の各下端面に対向し、間隙を有して磁性材からなる断面コ字型の第３ヨーク２０を配置している。この第３ヨーク２０の開口側が第１ヨーク１２と第２ヨーク１３側を向いており、図示実施例では第１突出部２１が第１ヨーク１２の下端１７に間隙を介して対向し、第２突出部２２が第２ヨーク１３の下端１８に間隙を介して対向している。それにより図１（ａ）の状態では第１永久磁石１１の磁気は第２ヨーク１３から、その下端１８と第３ヨーク２０の第２突出部２２の間隙を通って第３ヨーク２０へ、更に第３ヨーク２０の第１突出部２１と第１ヨーク１２の下端１７の間隙を通って第１ヨーク１２に至り、この第１ヨーク１２と接触している第１永久磁石１１のＳ極に至る、図中矢印で示すような結合用磁気回路２３が形成される。
【００２２】
このような結合用磁気回路２３が形成されている状態では、磁石固定ヨーク部材１０と第３ヨーク２０とがその磁力によって強固に結合しており、したがって後述するように第３ヨーク２０が外部からの入力によって回転するとき、磁石固定ヨーク部材１０も一体的に回転することができるようになる。なお、このとき第１ヨーク１２の第１ヨーク部１４と第２ヨーク１３の第２ヨーク部１５の間には大きな間隙が存在するので、この部分を通る磁気回路は実質的に形成されない。
【００２３】
それに対して、図１（ａ）において互いに対向している第１ヨーク部１４と第２ヨーク部１５の対向間隙１６から、側方に離れて位置している第２永久磁石２５が、図中矢印で示すように移動し、図１（ｂ）に示すように第１ヨーク部１４と第２ヨーク部１５とが対向する間隙１６内に入り込むことができるようにしている。このとき第２永久磁石２５は図示するように第１永久磁石１１とはＮ極とＳ極が左右反対側になるように配置されているので、図１（ｂ）に示す状態では第１永久磁石１１のＮ極からの磁力線は、図中矢印で示すように第２ヨーク１３を通って、第２ヨーク部１５と微少間隙を介して対向している第２永久磁石２５のＳ極に至る。一方、第２永久磁石２５のＮ極からの磁力線は図中矢印で示すように、このＮ極と微少間隙を介して対向している第１ヨーク部１４を通って、第１ヨーク１２の下方に固定されている第１永久磁石１１のＳ極に至る。
【００２４】
このような磁気回路は２個の永久磁石が直接形成する磁気回路であるため、前記図１（ａ）に示すような磁気回路よりもその力は強く、したがって（ａ）に示されるような磁気回路が実質的に形成されなくなる。そのため、第３ヨーク２０と磁石固定ヨーク部材１０との（ａ）に示されるような結合が解除され、（ｂ）に示すように自由状態となり、互いに自由に移動可能となる。このような機構を用いて、第２永久磁石２５を検出した負荷に応じていずれかの位置に移動可能にすることにより、非接触型負荷感応自動変速機とすることができる。
【００２５】
本発明は上記のような原理に基づく非接触磁気クラッチの原理を用いたものであり、このような非接触磁気クラッチを利用することにより種々の形態からなる非接触型負荷感応自動変速機を構成することができる。例えば図２に示す例においては、これらの非接触磁気クラッチを、第１磁気クラッチ３１、第２磁気クラッチ３２、第３磁気クラッチ３３の３個の磁気クラッチを列設し、各々の磁石固定ヨーク部材の側部を連結部材としての連結リング２６で一体的に連結した３段クラッチの例を示している。なお、各段のクラッチにおいて、それぞれ図１に示すような磁気クラッチを放射状に複数設けて、強固な連結を行うことができるようにしている。また、各段の第３ヨークは入力円板の外周に放射状に複数固定している。
【００２６】
この例においては、各々の第３ヨークを同一軸線において同芯上に配置した第１入力軸３４、第２入力軸３５、第３入力軸３６に設けた入力円板１９によって別個に回転可能としており、図示されない変速機からの個々の入力により、例えば第１入力軸３４を低減速段入力段として高速回転し、第２入力軸３５を中減速段入力段として中間の回転速度とし、第３入力軸３６を高減速段入力段として低速回転させる。
【００２７】
上記のような入力段を用いて、前記のような非接触磁気クラッチを用いることにより、例えば図３〜図５に示すような態様で、３段同時入力のうち、任意の１段を選択して駆動することが可能となる。即ち図３に示す態様においては、第２磁気クラッチ３２と第３磁気クラッチ３３の各磁石固定ヨークに対して第２永久磁石が位置し、第１磁気クラッチ３１の磁石固定ヨークに対しては第２永久磁石を位置させないようにしている。このような態様では各磁気クラッチにおいて図３（ｂ）に示すような磁気回路が形成され、第１磁気クラッチ３１のみにおいて第３ヨークと磁石固定ヨーク部材とが結合し、他は自由状態となる。
【００２８】
それにより、第１入力軸３４に固定される第１磁気クラッチの第３ヨークによって全て連結している前記３個の磁石固定ヨーク部材からなる磁石固定ヨーク部材列２９が一体的に回転する。したがって、第１入力軸３４が前記のように低減速で高速回転する軸の時には、磁石固定ヨーク部材列２９全体が高速回転する。なお、このとき中間の回転速度で回転している第２入力軸３５に固定されている第２磁気クラッチ３２における第３ヨークは、高速で回転している磁石固定ヨーク部材の作動にかかわらず、中間の速度で回転している。低速で回転している第３入力軸３６についても同様である。
【００２９】
図４に示す態様においては、第１磁気クラッチ３１と第３磁気クラッチ３３の各磁石固定ヨークに対して第２永久磁石が位置し、第２磁気クラッチ３２の磁石固定ヨークに対しては第２永久磁石を位置させないようにしている。このような態様では各磁気クラッチにおいて図４（ｂ）に示すような磁気回路が形成され、第２磁気クラッチ３２のみが第３ヨークと磁石固定ヨーク部材とが結合し、他は自由状態となる。
【００３０】
それにより、第２入力軸３５に固定される第２磁気クラッチの第３ヨークによって、全てが連結している磁石固定ヨーク部材列２９が一体的に回転する。したがって、第２入力軸３５が前記のように中間の減速で中速回転する軸の時には、磁石固定ヨーク部材列２９全体が中速回転する。
【００３１】
図５に示す態様においては、第１磁気クラッチ３１と第２磁気クラッチ３２の各磁石固定ヨークに対して第２永久磁石が位置し、第３磁気クラッチ３３の磁石固定ヨークに対しては第２永久磁石を位置させないようにしている。このような態様では各磁気クラッチにおいて図５（ｂ）に示すような磁気回路が形成され、第３磁気クラッチ３３のみにおいて第３ヨークと磁石固定ヨーク部材とが結合し、他は自由状態となる。
【００３２】
それにより、第３入力軸３６に固定される第３磁気クラッチの第３ヨークによって、全てが連結している磁石固定ヨーク部材列２９が一体的に回転する。したがって、第３入力軸３６が前記のように高減速で低速回転する軸の時には、磁石固定ヨーク部材列２９全体が低速回転する。
【００３３】
以上のように、第１磁気クラッチ〜第３磁気クラッチにおける任意の１つの磁石固定ヨーク部材に第２永久磁石を入れない状態を選択することにより、図示実施例においては３種類の回転速度の内、任意の回転速度を選択して出力軸を回転させることができるようになるものであるが、第２永久磁石をこのように選択的に配置するためには、例えば図６に示すように、円筒状磁石固定部材４０の内周面に３列の第２永久磁石の列を、各列において適宜の長さで、適宜の間隔をもって複数配置する。
【００３４】
図６に示す例において、円筒状磁石固定部材４０の内周面に第１磁石列３７、第２磁石列３８、第３磁石列３９を設けており、放射状に複数配置されている磁気クラッチの列のうちの一つがＬ１を中心としたライン上にあるとき、第２磁石列３８と第３磁石列３９の各第２永久磁石が前記図３のように位置することとなり、前記図３に示す作動を行う。その後円筒状磁石固定部材４０が相対回転し、その磁気クラッチの列に対してＬ２を中心としたライン上に位置すると、図４に示すように第２永久磁石が位置することとなり、前記図４に示す作動を行う。同様にして更に円筒状磁石固定部材４０が相対回転すると、その磁気クラッチの列に対してＬ３を中心としたライン上に位置することとなり、その際には図５に示すような位置となって、前記図５に示す作動を行う。この状態から円筒状磁石固定部材４０が前記と逆方向に回転するときには、図４の状態を通って図３の状態に戻る。
【００３５】
上記のような各種部材を組み込んで一体化することにより得られた非接触型負荷感応自動変速機４１の例を図７に示す。同図に示されるように、円筒状磁石固定部材４０には適宜の本数のアーム４２によって出力軸４３を連結しており、円筒状磁石固定部材４０と磁石固定ヨーク部材列２９の外側部に設けた連結リング２６とをスプリング４４で連結し、このスプリング４４に所定の初期引っ張り力を与えておく。それにより、前記のように各々速度が異なる第１入力軸３４、第２入力軸３５、第３入力軸３６の各入力軸によって、また各磁気クラッチにおけるヨークに対する第２永久磁石の挿入状態に応じて任意の速度で駆動される磁石固定ヨーク部材列２９と共に、円筒状磁石固定部材４０がスプリング４４を介して回転し、出力軸４３を回転する。なお、図示実施例においては機械的なスプリングを使用した例を示しているが、先の発明のように永久磁石の同極が接近すると反発することを利用した磁気的なバネを用いても良い。
【００３６】
このような非接触型負荷感応自動変速機４１の作動に際しては、例えば図７に示すように第１磁気クラッチ３１に第２永久磁石が挿入されず、第２磁気クラッチ３２と第３磁気クラッチ３３に第２永久磁石が挿入されることにより、前記図３に示した態様で作動しているときには、第１入力軸からの低減速による高速回転の入力が、磁石固定ヨーク部材列２９、スプリング４４、円筒状磁石固定部材４０、出力軸４３に伝達され、出力軸４３は高速回転する。この状態における磁石固定ヨーク部材列２９と円筒状磁石固定部材４０における第２永久磁石の状態は図８（ａ）に示されている。この状態は図６におけるラインＬ１上に磁気クラッチの列が存在する状態となっている。
【００３７】
図８（ａ）に示す運転状態は図９のように示すことができる。即ち、本発明による非接触型負荷感応自動変速機４１において例えばモータ等の駆動力源からの入力は、図２の第１入力軸３４に相当し、ほぼそのまま出力側に伝達される低減速での伝達経路と、中減速前段減速機で減速された、図２の第２入力軸３５に相当する中減速での伝達経路と、更にこの中減速での伝達経路の出力を用いて減速を行う高減速前段減速機からの、図２の第３入力軸３６に相当する高減速での伝達経路を用いている。各伝達経路と１つの出力負荷への経路との間に各々の切り換え機構としての磁気クラッチを設け、出力負荷の負荷トルク状態を検出してその負荷に対応した磁気クラッチを接続することにより、負荷に応じた適切な回転速度で駆動することができるようにしている。このような伝達経路において、図８（ａ）に示す状態は図９に示されるように低減速での伝達経路の磁気クラッチが接続し、出力負荷を高速で回転している。
【００３８】
図８（ａ）に示す状態で出力軸を駆動しているとき、駆動負荷が増大すると入力軸の所定の速度の回転に関わらず円筒状磁石固定部材４０の回転が押さえれるため、その力によって予め所定の引っ張り力を付与されていたスプリング４４が延びる。それにより磁石固定ヨーク部材列２９と円筒状磁石固定部材４０とは相対回転し、図８（ｂ）に示すように第２磁気クラッチ３２から第２永久磁石が脱し、第１磁気クラッチ３１と第３磁気クラッチ３３に第２永久磁石が挿入される状態となる。このときには中速で回転する第２入力軸３５によって第２磁気クラッチ３２を介して出力軸４３が中速回転するようになる。このようにして、負荷の増大に対応して自動的に減速することができる。
【００３９】
このような中速回転時に更に負荷が増大したときには、前記と同様にスプリング４４が延び、図８（ｃ）に示すように磁石固定ヨーク部材列２９と円筒状磁石固定部材４０とは更に相対回転し、図８（ｃ）に示されるように第３磁気クラッチ３３の第２永久磁石が脱し、第１磁気クラッチ３１と第２磁気クラッチ３２に各第２永久磁石が挿入される状態となる。このときには低速で回転する第３入力軸３６によって第３磁気クラッチ３３を介して出力軸４３が低速回転するようになる。このようにして、３つの負荷の大きさに対して、自動的に適切な回転速度でその負荷を駆動することができるようになる。
【００４０】
また、上記高減速状態からさらに負荷トルクが増大した場合は、磁石固定ヨーク部材列２９と円筒状磁石固定部材４０のそれ以上の相対回転は機械的なストッパにより制限される。以降、負荷が次第に減少したときには、前記とは逆の態様で、元の図８（ａ）に示す状態に戻る。更に、上記のように構成された本変速機は、前記説明と逆方向への回転に対しても同様に動作することができ、したがって正逆両方向の回転に対して動作可能の変速機となる。
【００４１】
上記のような実施例においては、自動的な３段変速を容易に行うことができるようになり、負荷変動に対してよりきめ細かい変速動作が可能となり、動力源の動作条件を常に最適値近傍に保つことができる。その結果、駆動効率を一層向上することができる。また、本発明者による先の発明では、変速動作に伴って中間円板と出力円板が相対的に回転運動および軸方向へのスライド運動をする必要があり、２種類の相対運動を許容しつつ中間円板と出力円板を結合する機構の設計製作が困難であって、また部品点数の増加を招いていたが、それに対して本出願では回転運動のみにより変速動作が可能であるため、大幅な機構の簡略化と部品点数の削減を達成するとともに設計製作を容易にすることができる。また、上記の実施例では３段変速機を例に説明したが、同様の機構を連ねることにより４段以上の多段変速機へも容易に拡張可能となる。
【００４２】
また、逆に入力円板を２枚に減らした２段変速機を構成することもできる。この場合においても、先の発明とと比較して２段変速機の機構を大幅に簡略化可能である。このような２段変速機を用いたときには、これを用いない場合と比較して図１０に示すような効果を生じる。即ち、図１０の（ａ）と（ｂ）は変速機を使用しない場合の回転数に対するトルク（ａ）と、回転数に対するパワー（ｂ）を示し、同図の（ｃ）と（ｄ）は２段変速機を使用した場合の回転数に対するトルク（ｃ）と、回転数に対するパワー（ｄ）を示している。同図から明らかなように、変速機を用いない場合には（ａ）のように負荷を高速低トルクの状態と低速高トルクの状態で使用するとき、これを駆動する駆動源は（ｂ）に示すように最大出力Ｐａの駆動装置を用い、各々Ｐｉの出力で使用することとなるため、Ｐｅの余分のパワーを出す駆動源が必要となる。それに対して２段変速機を用いた場合には、（ｃ）のように高減速段と低減速段で各々所定のトルクを得るように作動設定する場合には、（ｄ）に示すように各作動設定点で最大出力が得られる駆動装置によってこの負荷を駆動すれば良くなるので、小型の駆動装置によってその負荷を駆動することができるようになり、安価で小型な駆動装置ですむことがわかる。更に多くの段からなる変速機を用いた場合には、より細かな調整が可能となる。
【実施例２】
【００４３】
前記実施例においては、本発明による非接触型負荷感応自動変速機への入力について、別途設けた装置によって、駆動装置の出力を図９に示すような前段減速機を用いて速度の異なった３つの回転速度に変速して入力させるに際して変速機とは別に前段減速機を設けた例を示したが、例えば図１５に示すようにこの前段減速機を非接触型負荷感応自動変速機の内部に組み込むこともできる。
【００４４】
図１５に示す実施例においては遊星歯車機構を３列接続した例を示している。遊星歯車機構は周知のように、図１１に示すような遊星歯車を用いる装置であり、図中内側から外側へ順に、太陽歯車５２、キャリヤ５３で連結された図中では５個示されている遊星歯車５４、内歯歯車５５の３要素から構成される。これらの回転速度の間には、
ωキャリア = ω太陽歯車/ α + ω内歯歯車(α−1)／α   ( α＞１)
という３変数に対して１拘束を課す関係がある。一般的な遊星歯車は例えば図１２（ａ）に示すように、太陽歯車: 入力、内歯歯車: 入力(固定)とし、キャリヤ : 出力という形態で減速機として使用する。
【００４５】
また、別形態として、図１２（ｂ）に示すように、太陽歯車: 入力、キャリヤ: 入力とし、内歯歯車: 出力という使用法も可能である。すなわち、遊星歯車は任意の２要素を入力として、また残りの１要素を出力として使用することができる。その際には、
ω内歯歯車 = −ω太陽歯車／(α−1) + ωキャリアα／( α−1)
という関係となる。
【００４６】
その基本構成は、前記３段変速の場合、或いはそれ以上のときも同様であり、減速比が異なる複数の遊星歯車(低減速/中減速/高減速)を軸方向に配置し、それらの太陽歯車を同軸に接続して入力軸にし、キャリアを出力軸とする。また各遊星歯車の内歯歯車は相互接続されておらず、それぞれ異なる速度で自由に回転可能である。ここで磁気クラッチを用いて内歯歯車の1つのみを固定し、他を空転させることにより減速比を切換えることができる。この関係をまとめたものが図１３であり、更にこれを用いていずれかの遊星歯車を固定と空転を切り換えることにより低減速動作と中減速動作を行う例を図１４に示している。なお、高減速動作についても同様に行われる。
【００４７】
上記のような作動を行わせるため、この実施例においては図１５に示すような遊星歯車列組込式非接触型負荷感応自動変速機６０としている。即ち、前記実施例１と同様の第１磁気クラッチ３１、第２磁気クラッチ３２、第３磁気クラッチ３３を用い、各磁気クラッチの内側に配置される実施例１の第３ヨークを、３列に列設した各遊星歯車の内歯歯車部材における外周に固定する構造とし、互いに連結した遊星歯車の共通の入力軸を中心とした回転を行うようにしている。
【００４８】
図１５に示す装置においては、第１磁気クラッチ３１に対応する第３ヨーク４６は、３列の遊星歯車機構列の内の第１遊星歯車機構６１における第１内歯歯車部材６４の外周に固定されており、この第１遊星歯車機構６１は入力軸６５で駆動される大径の第１太陽歯車６６と、それにより駆動される複数の小径の第１遊星歯車群６７を備えている。同様に、第２磁気クラッチ３２に対応する第３ヨーク４７は、第２遊星歯車機構６２における第２内歯歯車部材６８の外周に固定されており、この第２遊星歯車機構６２は入力軸６５と直結している中間径の第２太陽歯車６９と、それにより駆動される中間径の複数の第２遊星歯車群７０を備えている。
【００４９】
更に、第３磁気クラッチ３３に対応する第３ヨーク４８は、第３遊星歯車機構６３における第３内歯歯車部材７１の外周に固定されており、この第３遊星歯車機構６３も同様に入力軸６５と直結している小径の第３太陽歯車７２とそれにより駆動される大径の複数の第３遊星歯車群７３を備えている。図示実施例においてはこの第３遊星歯車群を入力軸６５の軸線を中心に一体的に回転するためのキャリアをアーム７４とし、そのアーム７４に出力軸７５を設けている。また、この実施例においては円筒状磁石固定部材４９を外部に対して固定して用いる。
【００５０】
したがって上記機構はその中心側から順に、第１層は入力軸と太陽歯車、第１層と第２層間は太陽歯車と遊星歯車の噛み合い部分、第２層は出力軸とキャリアと遊星歯車、第２層と第３層間は遊星歯車と内歯歯車の噛み合い部分、第３層は内歯歯車（低減速／中減速／高減速）、第３層と第４層間は負荷トルクに応じて内歯歯車の１つと第４層が磁気的に結合し、他の内歯歯車は空転する構成、第４層は磁石固定ヨーク部材、第４層と最外層間は相対回転可能であるが後述するスプリングにより結合している部分、最外層は円筒状磁石固定部材と前記第３層と第４層間の磁気結合をＯＮ／ＯＦＦするための第２永久磁石、という多層構造をなし、各種機構をコンパクト化した構成をなしている。
【００５１】
上記のような機構を用いて入力軸６５を外部のモータ等によって回転するとき、図１５に示すように第２磁気クラッチ３２と第３磁気クラッチ３３に第各々２永久磁石を作用させ、第１磁気クラッチ３１には作用させないようにすると、第１磁気クラッチ３１の第３ヨーク４６が前記実施例と同様の原理によって磁気結合し、第２磁気クラッチ３２の第２ヨーク４７及び第３磁気クラッチ３３の第３ヨーク４８が自由回転状態となる。それにより、第２遊星歯車機構６２と第３遊星歯車機構６３とは太陽歯車の回転と共に自由に回転する状態となり、したがって内歯歯車部材６４が固定されている第１遊星歯車機構６１において、大径の第１太陽歯車６６によって高速で入力軸６５を中心に回転する第１遊星歯車群６７により、各遊星歯車を自由回転状態で支持しつつ連結しているクランク軸７６を介して、アーム７４を回転する。
【００５２】
このとき、大径の太陽ギヤと、固定した内歯歯車に噛み合う小径の遊星ギヤとによって、入力軸を中心に遊星ギヤは高速で回転し、それにより出力軸７５は高速で回転する。また、このときには第１内歯歯車６４が遊星歯車と共に回転しようとするが、第１磁気クラッチ３１の第３ヨーク４６と磁気的に結合している磁石固定ヨーク部材の列が、その側部の連結リング２６とスプリング４４によって所定の力で連結している円筒状磁石固定部材４９が、外部に固定されていることにより内歯歯車の回転は押さえられている。この磁気結合状態は前記実施例１においては図８（ａ）と同様の状態となっている。
【００５３】
このような出力軸による負荷の駆動中にその負荷が増大したときには、出力軸７５にかかる負荷により第１内歯歯車６４に大きな力が加わり、スプリング４４に抗して回転するため、前記実施例１における図８（ｂ）と相対的には同様の状態となり、第１磁気クラッチ３１と第３磁気クラッチ３３において磁石固定ヨーク部材に第２永久磁石を挿入し、第２磁気クラッチ３２からは脱する状態となるため、この第２磁気クラッチ３２に対応する第２遊星歯車機構６２の第２内歯歯車部材６８が固定され、他は自由状態となる。そのため第２遊星歯車機構６２における中間径の第２太陽歯車６９と、前記のように固定された第２内歯歯車６８に噛み合う中間径の第２遊星ギヤ群７０の作用によって、出力軸７５は中間速度で駆動され、前記の負荷の増大に対応することができる。
【００５４】
同様にして更に負荷が増大すると、第２内歯歯車６８に作用する力が大きくなるため、スプリング４４に抗して第２内歯歯車６８が回転し、第２磁気クラッチの第３ヨーク４７と磁気結合した磁石固定ヨーク部材の列を回転するため、前記実施例１における図８（ｃ）と相対的には同様の状態となり、第１磁気クラッチ３１と第２磁気クラッチ３２において磁石固定ヨーク部材に第２永久磁石を挿入し、第３磁気クラッチ３３からは脱する状態となるため、この第３磁気クラッチ３３に対応する第３遊星歯車機構６３における小径の第３太陽歯車７２と、固定された第３内歯歯車７１に噛み合う大径の第３遊星ギヤ群７３の作用によって、出力軸７５は低速で駆動され、負荷の増大に対応することができる。
【００５５】
また、上記高減速状態からさらに負荷トルクが増大した場合は、磁石固定ヨーク部材列２９と円筒状磁石固定部材４９のそれ以上の相対回転は機械的なストッパにより制限される。以降、負荷が次第に減少したときには、前記とは逆の態様で、最終的には図１５の状態に戻る。更に、上記のように構成された本変速機は、前記説明と逆方向への回転に対しても同様に動作することができ、したがって正逆両方向の回転に対して動作可能の変速機となる。
【００５６】
上記のような構成からなる実施例２の非接触型負荷感応自動変速機６０は、前記実施例１と比較して、その全体構成についてみると、実施例１においては前段減速機と接続軸と磁気クラッチの組み合わせであるのに対して、実施例２は全てが一体化した構造をなしている。また大きさについてみると、実施例１は前段減速機と磁気クラッチを軸方向に並べて接続する必要があるため全体として長くならざるを得ないのに対して、実施例２においては全体が一体構造になることにより、軸方向に短縮可能である。なお、実施例２においては径方向には大きくなるものの、これはトルク伝達機として、トルク＝半径×力、の作用によってむしろ有利な構造となる。
【００５７】
また、Ｎ段変速機としたときの多重同軸構造についてみると、実施例１においては入力軸がＮ重となり、磁気クラッチは３重となって段数を増すにつれて接続軸が複雑且つ製作が困難化する傾向があるのに対して、実施例２においては、変速機全体の構造は簡単になり、段数を増やす場合は同様の機構を軸方向に増設するものの、基本構造は変わらない、というメリットがある。また、回転部分についてみると、実施例１においては前段減速機、接続軸、磁気クラッチ第１層としての入力円板、磁気クラッチ第２層としての中間円板、磁気クラッチ第３層としての出力円板、という構成をなすのに対して、実施例２においては、入力軸と太陽歯車からなる第１層と、出力軸とキャリアからなる第２層と、１個のみ固定され他は空転する内場歯車という構成となり、回転部分が少なくなるため、慣性モーメントが減少することとなる。また、特に多数の永久磁石とヨークからなるため大きな慣性モーメントを有する第４層には、負荷トルク増減に応じて最外層と相対回転するものの基本的には静止している、という特徴を有する。
【産業上の利用可能性】
【００５８】
本発明は従来の大型で複雑且つ高コストの変速機では適用不可能であった中小規模のメカトロニクス機器全般に用いることができ、その適用範囲はきわめて広いものであるが、特に、プレスや射出成型器等の生産機械、動作の一部では大きな力が必要である反面、他の部分では高速動作が求められる各種駆動機構、チェーンブロックやジャッキ等の荷役・搬送機器、素早い位置合わせと力強い負荷駆動の両立が必要な各種機器、乗用リフト等の介護機器、動力源の低パワー化による小型軽量化と安全性向上を必要とする各種機器に有効に利用することができる。
【図面の簡単な説明】
【００５９】
【図１】本発明で用いる磁気クラッチ機構の原理を表す説明図である。
【図２】同磁気クラッチ機構を３列並設し、各々異なった速度で駆動する機構を示す説明図である。
【図３】図２の機構を用いて磁気クラッチの作動切換を行う際の第１の態様を示す図である。
【図４】同第２の態様を示す図である。
【図５】同第３の態様を示す図である。
【図６】磁気クラッチの作動切換を行う円筒状磁石固定部材の説明図である。
【図７】上記各機構及び部材を組み合わせて構成した本発明の実施例１による装置の全体構成を示す図である。
【図８】上記装置の磁気クラッチ切換作動を示す図であり、（ａ）は第１の態様、（ｂ）は第２の態様、（ｃ）は第３の態様を示す図である。
【図９】本発明のクラッチ切換機構を用いて負荷を駆動する力伝達経路の説明図である。
【図１０】クラッチ切換による負荷を高速と低速で駆動する際の作用を示す図であり、（ａ）（ｂ）はそのクラッチ切換機構を用いないとき、（ｃ）（ｄ）はそのクラッチ機構を用いたときの、各々速度に対するトルク、及びパワーのグラフである。
【図１１】本発明の実施例２で用いる遊星歯車機構の一般的な説明図である。
【図１２】同遊星歯車機構を用いたときの作動態様を示す図である。
【図１３】同遊星歯車機構を用いたときの各種作動態様をまとめた表である。
【図１４】同遊星歯車機構を３個用いて、固定する内歯歯車を選択したときの力伝達を示す図である。
【図１５】本発明の実施例２による装置の全体構成を示す図である。
【図１６】本発明者が先に提案した装置の説明図である。
【符号の説明】
【００６０】
１０  磁石固定ヨーク部材
１１  第１永久磁石
１２  第１ヨーク
１３  第２ヨーク
１４  第１ヨーク部
１５  第２ヨーク部
１６  対向間隙
２５  第２永久磁石
２９  磁石固定ヨーク部材列
３１  第１磁気クラッチ
３２  第２磁気クラッチ
３３  第３磁気クラッチ
４４  スプリング
４９  円筒状磁石固定部材
６０  非接触型負荷感応自動変速機
６１  第１遊星歯車機構
６２  第２遊星歯車機構
６３  第３遊星歯車機構
６４  第１内歯歯車部材
６５  入力軸
６６  第１太陽歯車
６７  第１遊星歯車群
６８  第２内歯歯車部材
６９  第２太陽歯車
７０  第２遊星歯車群
７１  第３内歯歯車部材
７２  第３太陽歯車
７３  第３遊星歯車群
７４  アーム
１  出力軸
【図１】
2005351336.tif 000003
【図２】
2005351336.tif 000004
【図３】
2005351336.tif 000005
【図４】
2005351336.tif 000006
【図５】
2005351336.tif 000007
【図６】
2005351336.tif 000008
【図７】
2005351336.tif 000009
【図８】
2005351336.tif 000010
【図９】
2005351336.tif 000011
【図１０】
2005351336.tif 000012
【図１１】
2005351336.tif 000013
【図１２】
2005351336.tif 000014
【図１３】
2005351336.tif 000015
【図１４】
2005351336.tif 000016
【図１５】
2005351336.tif 000017
【図１６】
2005351336.tif 000018